(57)【要約】本発明は、吸収コア（２２）と、腰部開口を形成する円周方向に完全に閉じたウェストエッジ（２０）を有する本体形成外被（２１）と、脇端縁区域（１６，１８）を有する腹側部（６）および背側部（４）と、腹側部（６）と背側部（４）との間に配置された大腿用開口（８ａ，ｂ）を形成する股領域（１０）と、縦方向に延びる縦中心軸（Ｌ）と、前記股領域（１０）の中央を貫いて横方向に延びて前記股領域を腹側の股領域（１０ａ）と背側の股領域（１０ｂ）とに区分する横中心軸（Ｑ）とを含んでなる使い捨てパンツ形吸収性衛生用品（２）であって、円周方向に完全に閉じた前記ウェストエッジ（２０）と前記大腿用開口（８ａ，ｂ）とは前記本体形成外被（２１）の腹側部（６）と背側部（４）との脇端縁区域（１６，１８）が製作者側で互いに結合されることによって形成され、それぞれの大腿用開口（８ａ，ｂ）は前記腹側の股領域（１０ａ）内に前記それぞれの大腿用開口の第１の区域（３０）に沿って配置された第１の糸状または帯状伸縮手段（１）を有し、前記背側の股領域（１０ｂ）は前記それぞれの大腿用開口（８ａ，ｂ）の第２の区域（３２）に沿って配置された第２の糸状または帯状伸縮手段（２）を有し、前記背側の股領域（１０ｂ）はさらに前記吸収コア（２２）のそれぞれの縦方向端縁（５）と前記それぞれの大腿用開口（８ａ，ｂ）との間に大腿用開口近接領域から出発して前記縦中心軸方向に向かう横方向成分（ＱＱ）ならびに前記背側部（４）の方向に向かう縦方向成分（ＬＬ）の双方を有する１方向に配向された伸縮要素（Ｅ）を有するように構成した前記衛生用品に関する。
2010515555.tif 000002
【特許請求の範囲】
【請求項１】
吸収コア（２２）と、腰部開口を形成する円周方向に完全に閉じたウェストエッジ（２０）を有する本体形成外被（２１）と、脇端縁区域（１６，１８）を有する腹側部（６）および背側部（４）と、腹側部（６）と背側部（４）との間に配置された大腿用開口（８ａ，ｂ）を形成する股領域（１０）と、縦方向に延びる縦中心軸（Ｌ）と、前記股領域（１０）の中央を貫いて横方向に延びて前記股領域を腹側の股領域（１０ａ）と背側の股領域（１０ｂ）とに区分する横中心軸（Ｑ）とを含んでなる使い捨てパンツ形吸収性衛生用品（２）であって、円周方向に完全に閉じた前記ウェストエッジ（２０）と前記大腿用開口（８ａ，ｂ）とは前記本体形成外被（２１）の腹側部（６）と背側部（４）との脇端縁区域（１６，１８）が製作者側で互いに結合されることによって形成され、それぞれの大腿用開口（８ａ，ｂ）は前記腹側の股領域（１０ａ）内に前記それぞれの大腿用開口の第１の区域（３０）に沿って配置された第１の糸状または帯状伸縮手段（１）を有し、前記背側の股領域（１０ｂ）は前記それぞれの大腿用開口（８ａ，ｂ）の第２の区域（３２）に沿って配置された第２の糸状または帯状伸縮手段（２）を有し、前記背側の股領域（１０ｂ）はさらに前記吸収コア（２２）のそれぞれの縦方向端縁（５）と前記それぞれの大腿用開口（８ａ，ｂ）との間に大腿用開口近接領域から出発して前記縦中心軸方向に向かう横方向成分（ＱＱ）ならびに前記背側部（４）の方向に向かう縦方向成分（ＬＬ）の双方を有する１方向に配向された伸縮要素（Ｅ）を有するように構成した前記衛生用品。
【請求項２】
前記背側の股領域（１０ｂ）は前記横中心軸（Ｑ）に直接隣接する内側領域（１０ｂ１）と、前記内側領域（１０ｂ１）に連続して前記背側部に達するまで縦方向に延びる外側領域（１０ｂ２）とを有し、前記それぞれの大腿用開口（８ａ，ｂ）の前記第２の区域（３２）に沿って配置された前記第２の糸状または帯状伸縮手段（２）ならびに前記伸縮要素（Ｅ）はいずれももっぱら前記外側領域（１０ｂ２）内に配置されていることを特徴とする請求項１記載の衛生用品。
【請求項３】
前記外側領域（１０ｂ２）における前記吸収コア（２２）の前記端縁とそれぞれの大腿用開口との間の横方向（Ｑ）の間隔（７０）は少なくとも５ｃｍ、特に少なくとも７ｃｍ、さらに特に少なくとも９ｃｍであることを特徴とする請求項２記載の衛生用品。
【請求項４】
前記伸縮要素（Ｅ）の縦方向成分（ＬＬ）の長さは２．５〜２１．０ｃｍ、特に４．５〜１９．０ｃｍ、さらに特に６．５〜１７．０ｃｍ、さらに特に７．５〜１５．０ｃｍであることを特徴とする請求項１，２または３記載の衛生用品。
【請求項５】
前記伸縮要素（Ｅ）の横方向成分（ＱＱ）の長さは２．０〜１８．０ｃｍ、特に４．０〜１５．０ｃｍ、さらに特に５．０〜１３．０ｃｍ、さらに特に６．２〜１２．０ｃｍであることを特徴とする請求項１，２，３または４記載の衛生用品。
【請求項６】
前記伸縮要素（Ｅ）は、前記第２の糸状または帯状伸縮手段が先ずそれぞれの大腿用開口の前記第２の区域（３２）に沿って前記横中心軸（Ｑ）の方向に向かって延び、続いて、ｕ字形またはｖ字形を描いて前記大腿用開口近接領域から出発して、前記縦中心軸（Ｌ）の方向に向かう横方向成分ＱＱならびに前記背側部（４）の方向に向かう縦方向成分ＬＬの双方を有する１方向に延びることにより、前記第２の糸状または帯状伸縮手段（２）の延長によって形成されていることを特徴とする先行する請求項のいずれか１項記載の衛生用品。
【請求項７】
それぞれの大腿用開口（８ａ，ｂ）の前記背側の股領域（１０ｂ）の前記内側領域（１０ｂ１）は前記それぞれの大腿用開口（８ａ，ｂ）の第３の区域（３１）に沿って配置された第３の糸状または帯状伸縮手段（３）を有することを特徴とする請求項２〜６のいずれか１項記載の衛生用品。
【請求項８】
前記第１および／または第２および／または第３の糸状または帯状伸縮手段（１，２，３）は第１の大腿用開口（８ａ）から出発して前記吸収コア（２２）の下を通って前記股領域を横断し、反対側において縦中心軸（Ｌ）を中心とした鏡像をなしてさらなる第２の大腿用開口（８ｂ）に沿って延びていることを特徴とする先行する請求項のいずれか１項記載の衛生用品。
【請求項９】
前記吸収コア（２２）の下を通る前記伸縮手段（１，２，３）は特に熱および／または圧力および／またはレーザ作用および／または超音波の使用によりかつ／または切断により少なくとも一定区間にわたってそれらの伸縮作用が奪われていることを特徴とする請求項８記載の衛生用品。
【請求項１０】
前記吸収コア（２２）の下を通る前記伸縮手段（１，２，３）は応力除去されて延びていることを特徴とする請求項８または９記載の衛生用品。
【請求項１１】
前記第１の伸縮手段（１）は前記第３の伸縮手段（３）から縦方向に、前記第２の伸縮手段（２）が前記第３の伸縮手段（３）から離間しているよりもさらに広く離間していることを特徴とする先行する請求項のいずれか１項記載の衛生用品。
【請求項１２】
前記第３の伸縮手段（３）の延びは前記伸縮要素（Ｅ）の延びとほぼ鏡像的な関係にあり、この場合の鏡軸は前記第３の伸縮手段（３）と前記伸縮要素（Ｅ）との間の真ん中を貫いて横方向に延びる線（ＱＬ）であることを特徴とする先行する請求項のいずれか１項記載の衛生用品。
【請求項１３】
前記本体形成外被（２１）は背側部（４）および腹側部（６）ならびに前記股領域（１０）の特に前記背側部および／または腹側部に隣接する領域にも横方向に延びる帯状または糸状伸縮手段（６）を有していることを特徴とする先行する請求項のいずれか１項記載の衛生用品。
【請求項１４】
前記横方向に延びる帯状または糸状伸縮手段（６）は前記吸収コア（２２）の下を通る区間でそれらの伸縮作用が奪われていることを特徴とする請求項１３記載の衛生用品。
【請求項１５】
前記腹側の股領域（１０ａ）においてそれぞれの大腿用開口（８ａ，ｂ）は、腰部開口近接領域（４０）と、股中心近接領域（４２）と、両者の間に配置された中間領域（４１）とを有しており、しかも、前記腰部開口近接領域（４０）と前記股中心近接領域（４２）と前記中間領域（４１）とはそれぞれ伸縮手段（４４）を有し、前記伸縮手段（４４）に生ずる力はそれぞれ横方向成分を有しており、前記腰部開口近接領域（４０）における前記横方向成分は前記中間領域（４１）および／または前記股中心近接領域におけるそれよりも大きく、前記中間領域（４１）における前記横方向成分は前記股中心近接領域（４２）におけるそれよりも大きいことを特徴とする先行する請求項の特にいずれか１項記載の衛生用品。
【請求項１６】
前記大腿用開口（８ａ，ｂ）の前記腰部開口近接領域（４０）の前記伸縮手段（４４）はもっぱら、基本的に横方向に配向された糸状または帯状伸縮手段（６）によって形成されていることを特徴とする請求項１５記載の衛生用品。
【請求項１７】
前記中間領域（４１）の前記伸縮手段（４４）は前記第１の糸状または帯状伸縮手段（１）の腰部開口近接区域（１ａ）によると共に基本的に横方向に配向された糸状または帯状伸縮手段（６）によって形成されていることを特徴とする請求項１５または１６記載の衛生用品。
【請求項１８】
前記股中心近接領域（４２）の前記伸縮手段（４４）はもっぱら前記第１の糸状または帯状伸縮手段（１）の股中心近接区域（１ｂ）によって形成されていることを特徴とする請求項１５，１６または１７記載の衛生用品。
【請求項１９】
前記吸収コア（２２）の両側に、前記吸収コアの長手方向に延びる伸縮シート区域（９）を有するシート要素（７）が設けられていることを特徴とする先行する請求項のいずれか１項記載の衛生用品。
【請求項２０】
前記吸収コア（２２）は身体側がトップシート（１３）によって覆われ、反身体側がバックシート（１４）によって下支えされていることを特徴とする先行する請求項のいずれか１項記載の衛生用品。
【請求項２１】
前記背側の股領域（１０ｂ）は前記腹側の股領域（１０ａ）よりも長いことを特徴とする先行する請求項のいずれか１項記載の衛生用品。
【請求項２２】
それぞれの大腿用開口（８ａ，ｂ）の前記第１から第３までの区域（３０，３１，３２）の長さ（１−Ｌ，２−Ｌ，３−Ｌ）の和は２０〜６０ｃｍ、とりわけ２５〜５５ｃｍ、さらにとりわけ２７〜５０ｃｍ、さらにとりわけ２９〜４８ｃｍであることを特徴とする先行する請求項のいずれか１項記載の衛生用品。
【請求項２３】
それぞれの大腿用開口（８ａ，ｂ）の前記第１から第３までの区域（３０，３１，３２）の長さ（１−Ｌ，２−Ｌ，３−Ｌ）の和とそれぞれの大腿用開口の周長との比は最大にて０．７、特に最大にて０．６、さらに特に最大にて０．５５、さらに特に最大にて０．５であることを特徴とする先行する請求項のいずれか１項記載の衛生用品。
【請求項２４】
前記背側の股領域（１０ｂ）は２０〜５０ｃｍ、特に２２〜４５ｃｍ、さらに特に２４〜４２ｃｍ、さらに特に２６〜３９ｃｍの長さを有することを特徴とする先行する請求項のいずれか１項記載の衛生用品。
【請求項２５】
前記背側の股領域（１０ｂ）の前記内側領域（１０ｂ１）および／または前記外側領域（１０ｂ２）は８〜３０ｃｍ、特に１０〜２５ｃｍ、さらに特に１２〜２２ｃｍの長さを有することを特徴とする先行する請求項２〜２４のいずれか１項記載の衛生用品。
【請求項２６】
前記内側領域（１０ｂ１）の長さと前記外側領域（１０ｂ２）の長さとの比は０．４〜０．６、特に０．４５〜０．５５、さらに特に０．４７〜０．５２であることを特徴とする先行する請求項２〜２５のいずれか１項記載の衛生用品。
【発明の詳細な説明】
【技術分野】
【０００１】
本発明は、腰部開口を形成する円周方向に完全に閉じたウェストエッジと、大腿用開口と、吸収コアとを含んでなり、円周方向に完全に閉じた前記ウェストエッジと前記大腿用開口とは腹側部と背側部の脇端縁区域が製作者側で互いに結合されることによって形成されている成人用の使い捨てパンツ形吸収性衛生用品に関する。
【背景技術】
【０００２】
この種の短パン形吸収性衛生用品は公知に属する。同衛生用品はほとんどの場合に、プレストレスされた状態で基本的に非伸縮性の本体材料とほとんどの場合に接着式結合される、多くは弾性糸の形の多数の伸縮手段を含んでいる。この場合、ウェストエッジ領域は好ましくは円周方向全体にわたって伸縮性を有しているのが通例である。公知の短パン形オムツの場合、腹側領域ならびに背側領域にも伸縮手段が設けられている。同じく、大腿用開口を取り巻くもしくは大腿用開口を形成する円周領域も、同所において使用者の皮膚表面と同衛生用品との十分な密着を保証して身体排泄物の脇漏れを防止すべく、少なくとも一定区間にわたって伸縮式に形成されている。また、伸縮式大腿用開口の他にさらなる脇漏れ防止を可能にする起立式シート要素も公知の短パン形オムツにおいてすでに使用され、（たとえば欧州公開第１１８４０１７号、欧州公開第１１９９０５８号、欧州公開第１３０８１４８号の各パンフレットから）知られている。
【０００３】
さらに、ウェストエッジと股領域との間に、基本的に横方向に延びる伸縮手段を設けて、身体密接物としての衛生用品のフィット性を改善することが知られている。
【０００４】
だが、複数に及ぶ伸縮要素の使用にもかかわらず、成人用のパンツ形使い捨て衛生用品のフィット性問題は未だ満足すべき解決に達することができなかった。まさに股領域において、したがって、フィット性と液体吸収信頼度とが目標として相克する領域において、上記公知の衛生用品はこれまでのところ満足すべき解決方法を供することができていない。
【発明の概要】
【発明が解決しようとする課題】
【０００５】
上記から出発して本発明の目的は、冒頭に述べたタイプの吸収性衛生用品の着用感を改善することである。
【課題を解決するための手段】
【０００６】
上記課題は本発明によるパンツ形衛生用品において、腹側の股領域はそれぞれの大腿用開口の第１の区域に沿って配置された糸状または帯状伸縮手段を有し、背側の股領域はそれぞれの大腿用開口の第２の区域に沿って配置された第２の糸状または帯状伸縮手段を有し、背側の股領域はさらに吸収コアのそれぞれの縦方向端縁とそれぞれの大腿用開口との間に大腿用開口近接領域から出発して縦中心軸方向に向かう横方向成分ならびに背側部の方向に向かう縦方向成分の双方を有する１方向に配向された伸縮要素を有するように構成することによって解決される。したがって、この伸縮要素は斜め後方に向かって延びている。
【０００７】
上記第２の大腿用開口区域に伸縮性を賦与する上記糸状または帯状伸縮手段と上記伸縮要素との協働作用によって、非常に狭い吸収コアを有する成人用のパンツ形衛生用品の本体形成外被は、望ましくないしわ形成傾向が特に強く現れる場所すなわち上記背側の股領域内の上記吸収コアの側方外側において、上記背側部の方向に向かって斜め後方に強制されることが効果的に防止される。驚くべきことに、このことが圧倒的多数の使用者の場合に本衛生用品のフィット性の高まりに著しく寄与することが判明した。
【０００８】
上記吸収コアの幅は横中心軸の位置においてとりわけ少なくとも１０ｃｍ、さらにとりわけ少なくとも１２ｃｍ、さらにとりわけ少なくとも１３ｃｍ、ただし最大でも１８ｃｍ、さらにとりわけ最大でも１７ｃｍ、さらにとりわけ最大でも１６ｃｍ、さらにとりわけ最大でも１５ｃｍ、さらにとりわけ最大でも１４ｃｍであり、したがって、比較的狭く形成されている。
【０００９】
上記吸収コアとは、本発明の範囲において、排泄された体液の持続的な吸収と貯留を行うための本衛生用品の当該部分として理解される。この吸収コアは通例、繊維とくにセルロース繊維とりわけ羽毛の形態のセルロース繊維と混合された高吸水材料（ＳＡＰ）を含んでいる。本衛生用品が多体式または多層式の吸水体を含んでいれば、排泄された体液の大部分を規定どおり持続的に貯留する当該吸水体層または当該吸水体部分が吸収コアと見なされる。
【００１０】
本発明のさらなる態様において、上記背側の股領域は横中心軸に直接隣接する内側領域と、この内側領域に連続して上記背側部に達するまで縦方向に延びる外側領域とを有し、上記それぞれの大腿用開口の第２の区域に沿って配置された上記第２の糸状または帯状伸縮手段ならびに上記伸縮要素はいずれももっぱら上記外側領域内に配置されている。上記背側の股領域の外側領域において上記本体形成外被は通例、上記股領域の内側領域よりも大きな幅を有している。したがって、上記吸収コアの側方外側における上記本体形成外被の上述したしわ形成問題は同所において特に顕著である。本発明思想の発展態様において、上記外側領域における上記吸収コアの上記端縁とそれぞれの大腿用開口との間の横方向間隔は少なくとも５ｃｍ、特に少なくとも７ｃｍ、さらに特に少なくとも９ｃｍである。
【００１１】
本発明の好ましい実施形態において、上記伸縮要素の縦方向成分の長さは２．５〜２１．０ｃｍ、特に４．５〜１９．０ｃｍ、さらに特に６．５〜１７．０ｃｍ、さらに特に７．５〜１５．０ｃｍである。さらに、上記伸縮要素の横方向成分の長さは好ましくは２．０〜１８．０ｃｍ、特に４．０〜１５．０ｃｍ、さらに特に５．０〜１３．０ｃｍ、さらに特に６．0〜１２．０ｃｍである。
【００１２】
上記第２の糸状または帯状伸縮手段と上記伸縮要素との協働作用が特に効果的となるのは、上記第２の糸状または帯状伸縮手段が先ず上記それぞれの大腿用開口の上記第２の区域に沿って横中心軸の方向に向かって延び、続いて、Ｕ字形またはＶ字形を描いて上記大腿用開口近接領域から出発して、縦中心軸の方向に向かう横方向成分ならびに上記背側部の方向に向かう縦方向成分の双方を有する１方向に延びることにより、上記第２の糸状または帯状伸縮手段の延長によって上記伸縮要素が形成される場合であることが判明した。こうした場合、使用者に密着した状態で、Ｕ字形またはＶ字形構造のアーム間に、上記吸収コアの上記側方端縁を越えて溢れる液体または糞尿の収容に資する片側のみが開いたポケットが形成されることができる。
【００１３】
本発明思想の発展態様において、それぞれの大腿用開口の上記背側の股領域の上記内側領域は上記それぞれの大腿用開口の第３の区域に沿って配置された第３の糸状または帯状伸縮手段を有しているのが有利である。この場合、この第３の糸状または帯状伸縮手段は上記背側の股領域のもっぱら上記内側領域内に配置されている。
【００１４】
上記大腿用開口区域に伸縮性を賦与する上記帯状または糸状伸縮手段は、特に２〜７本、特に２〜６本、なかんずく特に２〜５本、とりわけ特に２〜４本のグループからなる、特に細い、１〜２０ｍｍ、特に２〜１５ｍｍ、さらに特に３〜１０ｍｍ、さらに特に５〜７ｍｍの間隔を保って互いに並んで走る弾性糸たとえば太さ３００〜１５００ｄｔｅｘとくに５００〜９００ｄｔｅｘのＬｙｃｒａ（登録商標）糸またはＳｐａｎｄｅｘ（登録商標）糸からなっていてよく、これらの弾性糸は１．５〜４．５とくに２．０〜４．０のプレストレス下で上記本体形成外被材料に固定されている。
【００１５】
それぞれの大腿用開口の上記第１、第２および第３の区域における本衛生用品の縦方向の長さは特に、それぞれの大腿用開口の上記第１から第３までの区域の長さの和が２０〜６０ｃｍ、特に２５〜５５ｃｍ、さらに特に２７〜５０ｃｍ、さらに特に２９〜４８ｃｍとなるように選択されている。
【００１６】
本発明思想の発展態様において、それぞれの大腿用開口の上記第１から第３までの区域の長さの和とそれぞれの大腿用開口の周長との比が最大にて０．７、特に最大にて０．６、さらに特に最大にて０．５５、さらに特に最大にて０．５であれば、着用感の向上にとってさらに有意であることが判明した。
【００１７】
本発明の発展態様において、上記第１、第２および第３の糸状または帯状伸縮手段は縦方向に互いに離間されて、第１と第３の糸状または帯状伸縮手段の間および第２と第３の糸状または帯状伸縮手段の間にそれぞれ非伸縮性大腿用開口区域が設けられている。さらに、最新の衛生用品は液体およびまた固体の身体排泄物の脇漏れを防止する側方障壁を形成する基本的に縦方向に延びる起立式シート要素である、いわゆる“折り返し要素”も備えているとの事情に鑑み、上記大腿用開口の全周にわたって伸縮手段を設けることはもはやどうしても必須であるとは思われない。伸縮手段はプレストレスされた状態で当該材料と結合されていればそうした材料の絞りまたは襞を生ずるために、ゆるんだ状態では材料のたまりを結果し、こうしたたまりはたとえば座位に際して不快に感じられることもある。いずれにせよ、特に使用者が動く場合に、絞りまたは襞を生じた領域したがって伸縮化された領域は使用者の皮膚表面を強くこするため、これが皮膚の刺激をもたらし得る。したがって、非伸縮性の大腿用開口区域を設けることにより、全体として着用感の改善が達成される。
【００１８】
望ましくない材料たまりが生ずる惧れは上記股領域の中心で特に高いと考えられるため、上記第１の伸縮手段は上記第３の伸縮手段から縦方向に、上記第２の伸縮手段が上記第３の伸縮手段から離間しているよりもさらに広く離間しているのが好適かつ有利であることが判明した。
【００１９】
上記第３の伸縮手段の延びは上記伸縮要素の延びとほぼ鏡像的な関係にあるのが特に有利であり、この場合の鏡軸は上記第２の伸縮手段と上記伸縮要素との間の真ん中を貫いて横方向に延びる線である。驚くべきことに、このことは本衛生用品のフィット性にとって特に有用である。これによって伸縮力の平衡が達成されることは明らかである。
【００２０】
さらに、上記本体形成外被は上記背側部および／または上記腹側部ならびに上記股領域の特に上記背側部および／または上記腹側部に隣接する領域にも横方向に延びる糸状または帯状伸縮手段を有していれば有利であることが判明した。これにより、身体密接物としての本衛生用品のフィット性をさらに改善することが可能である。上記吸収コアの領域のこの種の伸縮手段は上記股領域における吸収体の意図的な収縮をもたらし得る。上記吸収コアの絞りが望ましくなければ、これらの伸縮手段から−それらが上記吸収コアの下を通る区間で−伸縮作用を奪うこと、特に分断することが可能である。これらの伸縮手段は、それらがこの区間で上記外被と結合されていなければ、ゆるみを生ずるであろう。分断はたとえば１回の切断によって行うことが可能である。ただし、上記伸縮手段の分断が多数回の切断によって行われ、こうして、先に連続して延びていた伸縮手段が多数の特にミリメートルレベルの長さの小さな区間に分割されて伸縮作用を喪失するようにすることも思料可能でありかつ有利であろう。こうした場合、上記伸縮手段は、ゆるみが妨げられないようにして、上記外被と接着結合されていてもよい。上記伸縮手段の１回または多数回の分断はレーザ技術によって行なうことも可能である。別途実施形態において、先に連続して延びていた上記伸縮手段は、熱および／または圧力および／または超音波の使用によって、伸縮作用が奪われる。
【００２１】
特に有利な実施形態において、上記背側の股領域は縦方向に上記腹側の股領域よりも大きな長さを有している。この場合、上記または下記において背側および／または腹側の股領域が論じられる際には、以下の理解が根底とされている。つまり、縦方向で見て、本発明による衛生用品は上述したように、腹側部および背側部と、腹側部と背側部との間に配置された大腿用開口を形成する股領域とを有する本体形成外被からなるとの理解である。腹側部および背側部とは、閉じたパンツ形を形成すべく製作者側によって脇端縁区域が互いに結合される本体領域のことである。股領域は横方向に延びる横中心軸によって、想定上、腹側の股領域と背側の股領域とに区分されることができ、この場合、横中心軸は股領域の最小部つまり股領域の幅が最も狭い箇所を通って横方向に延びている。股領域が長方形に形成されているパンツ形衛生用品の場合には、横中心軸はこの長方形領域を縦方向に２等分するようにして設定される。上記第１の方法によっても上記第２の方法によっても横中心軸の位置を決定することのできないパンツ形衛生用品の場合には、欧州特許第０９６９７８４号明細書中に同明細書の図４に関して第［００３８］段落に記載されている方法に従って横中心軸の位置の決定が行われる。この場合、股ポイント（“ｃｒｏｔｃｈ  ｐｏｉｎｔ”）が決定される。かくて、横中心軸はこの股ポイントの位置にある。したがって、上記背側の股領域の長さとは、縦方向で見て、この横中心軸から出発して上記背側部の開始位置に達するまで延びている部分である。上記腹側部の股領域の長さとは、同様に、この横中心軸から出発して上記腹側部の開始位置に達するまでの股領域の延びである。
【００２２】
本発明思想の発展態様において、上記背側の股領域が２０〜５０ｃｍ、特に２２〜４５ｃｍ、さらに特に２６〜３９ｃｍの長さを有していれば、本衛生用品のフィット性の点で有利であることが判明した。上記背側の股領域の上記内側領域および／または上記外側領域は８〜３０ｃｍ、特に１０〜２５ｃｍ、さらに特に１２〜２２ｃｍの長さを有していれば特に有利である。
【００２３】
上記背側の股領域の上記内側領域の長さと上記背側の股領域の上記外側領域の長さとの比が０．４〜０．６、特に０．４５〜０．５５、さらに特に０．４７〜０．５２であれば、本衛生用品のフィット性にとってさらに有用である。
【００２４】
本発明のさらに別の有利な実施形態において、上記第１および／または第２および／または第３の糸状または帯状伸縮手段は第１の大腿用開口から出発して上記吸収コアの下を通って上記股領域を横断し、反対側において縦中心軸を中心とした鏡像をなしてさらなる第２の大腿用開口に沿って延びている。こうした場合、上記吸収体は股領域において集積されることになる。これに対処すべく、有利には同じく、上記吸収コアの下を通る上記伸縮手段は特に熱および／または圧力および／またはレーザ作用および／または超音波の使用によりかつ／または切断によって少なくとも一定区間にわたってそれらの伸縮作用が奪われているかまたは上記吸収コアの下を通る上記伸縮手段が応力除去されて延びているようにすることが可能である。こうした場合には、上記吸収コアの望ましくない集積は回避可能である。
【００２５】
有利には、上記吸収コアの両側に、上記吸収コアの長手方向に延びる伸縮シート区域を有するシート要素が設けられていてよい。上記の伸縮式大腿用開口の他にさらなる脇漏れ防止を可能にするこの種の起立式シート要素は公知のパンツ形衛生用品においてすでに使用され、たとえば欧州公開第１１８４０１７号、欧州公開第１１９９０５８号または欧州公開第１３０８１４８号パンフレットから知られている。
【００２６】
好ましい実施形態において、上記吸収コアはその反身体側を以って上記本体形成外被の身体側層に配置され、好ましくは接着剤たとえば高温溶融接着剤またはその他の接合方法たとえば熱溶接によって少なくとも一定区間にわたって同所に固定されている。
【００２７】
上記吸収コアは体液吸収材料たとえば天然繊維または合成繊維とくに好ましくはセルロース毛羽の形のセルロース繊維を含んでいる。好ましくは、上記吸収コアはさらに、特に表面架橋、部分中和されたポリアクリル酸エステル系の高吸水材料（ＳＡＰ）を含んでいる。
【００２８】
上記吸収コアは好ましくは少なくとも一定区域にわたって液体透過性トップシートによって覆われ、さらに、好ましくは少なくとも一定区域にわたって液体不透過性バックシートを使用して下支えされている。上記トップシートは特にフリース材料からなるかまたは多孔質シート材料からなっている。上記バックシートは特に最大にて１５μｍの厚さを有するシートからなっている。ただし、上記バックシートは有利には、使用に際して液密ではあるが水蒸気透過性を有するフリース材料たとえばメルトブローン層（Ｍ）およびスパンボンド層（Ｓ）、特にメルトブローン層とスパンボンド層とからなるラミネートたとえばＳＭラミネートまたはＳＭＳラミネートまたはＳＭＭＳラミネートを含むかまたはそれらからなっていてもよい。特に、上記バックシートは使用に際して液密ではあるが通気性のある、したがって、水蒸気透過性を有する特に微孔質シートからなっている。上記バックシートの水蒸気透過率はＤＩＮ５３  １２２−１（２００１−０８版）に準拠して測定して、特に少なくとも３００ｇ／ｍ2／２４ｈ、さらに特に少なくとも１０００ｇ／ｍ2／２４ｈ、さらに特に少なくとも２０００ｇ／ｍ2／２４ｈ、さらに特に少なくとも３０００ｇ／ｍ2／２４ｈ、さらに特に少なくとも４０００ｇ／ｍ2／２４ｈ、さらに特に少なくとも６０００ｇ／ｍ2／２４ｈである。
【００２９】
オプショナルに設けられた上記シート要素は上記吸収コアの両側に延在しており、特にその基部端縁によって上記吸収コアの身体側のそれぞれの縦方向端縁で、特に上記トップシートに固定されている。本発明の別途発展態様において、上記シート要素の上記基部端縁は上記吸収コアの外側両側において、特に上記本体形成外被の身体側に固定されている。少なくとも一定区間にわたって使用者側に向かって起立する末端端縁は好ましくは伸縮手段、特に上記のタイプの糸状または帯状伸縮手段を有している。別途実施形態において、上記シート要素は一体の伸縮材料たとえば伸縮シートまたは伸縮フリースを含むかまたはそれらからなっている。
【００３０】
好ましくは、上記シート要素の上記末端端縁は内側に向かって本衛生用品の縦軸方向に傾斜されている。これは特に、上記シート要素の上記末端端縁が片側または両側の端部区域で内側に向かって上記吸収コアの身体対向側とくに上記トップシートに固定されていることによって保証される。上記シート要素の上記端部区域が十分大きな区域にわたって上記吸収コアに固定されていることにより、好ましい実施形態において、この区域から同時に伸縮作用を奪うことが可能であり、これによって、この固定された端部区域は非伸縮シート区域を形成する。
【００３１】
さらに別のそれ自体として完全に独立した発明思想に基づき、パンツ形の本衛生用品は上記腹側の股領域においてそれぞれの大腿用開口に、腰部開口近接領域と、股中心近接領域と、両者の間に配置された中間領域とを有しており、しかも、上記腰部開口近接領域と上記股中心近接領域と上記中間領域とはそれぞれ伸縮手段を有し、この伸縮手段に生ずる力はそれぞれ横方向成分を有しており、上記腰部開口近接領域における横方向成分は上記中間領域および／または上記股中心近接領域におけるそれよりも大きく、上記中間領域における横方向成分は上記股中心近接領域におけるそれよりも大きい。特に、上記股中心近接領域には横中心軸に達するまでの間にもう１つの領域が連続して延びており、この領域において上記大腿用開口は伸縮手段をまったく有していない。これによって、本衛生用品のフィット性は特に改善される。特に、大腿用開口の上記腰部開口近接領域における伸縮手段はもっぱら、基本的に横方向に配向された糸状または帯状伸縮手段によって形成されている必要があろう。本発明思想の発展態様において、上記中間領域における伸縮手段は上記第１の糸状または帯状伸縮手段の腰部開口近接区域部分によると共に基本的に横方向に配向された糸状または帯状伸縮手段によって形成されていれば有利であることが判明した。他方、上記股中心近接領域における伸縮手段は特にもっぱら上記第１の糸状または帯状伸縮手段の股中心近接区域部分によって形成されている。
【００３２】
本発明のその他の特徴、詳細および利点は、添付の特許請求項および図面、ならびに図面によって示した本発明による衛生用品の好ましい１実施例の下記説明から判明する通りである。
【図面の簡単な説明】
【００３３】
【図１】本発明による衛生用品の１実施形態を製作者側によって脇端縁領域が結合される前の平らに展開された状態で示す平面図である。
【図２】吸収コアを包容するトップシートとバックシートとを示す、図１と同じ図である。
【図３】図２のＡ−Ａ線に沿った断面図である。
【図４】伸縮手段の長さを表示した、図１と同じ図である。
【図５】大腿用開口領域を表示した、図１と同じさらに別の図である。
【図６】製作者側によって脇端縁領域が結合された後の本発明による衛生用品の斜視図である。
【発明を実施するための形態】
【００３４】
図１〜５は、全体として符号２で表されたオムツ（“パンツ”）の形の成人用衛生用品を、製作者側によって脇端縁区域１６，１８が結合される前の平らに展開された状態で示している。図１〜５はそれぞれ同じ衛生用品を示しているが、ただし、平明性を期してそれぞれ異なった詳細を表している。本衛生用品の上記および下記の特許請求されたいっさいの寸法はこの平らに展開された状態に関するものである旨注意されたい。図６は脇端縁区域１６，１８が製作者側によって結合された後の本衛生用品を示している。
【００３５】
本衛生用品２は、背側部４と、腹側部６と、前記両者の間にあって後の大腿用開口となる切り込み８ａ，ｂを限界づける股領域１０とを有する本体形成外被２１を含んでいる。平らに展開された状態で、背側部と腹側部とは脇端縁１２によってそれぞれ限界されている。これら背側部と腹側部とはパンツ形状を形成すべく、脇端縁区域１６ないし１８の領域で、たとえばヒートシールまたはその他の通例の接合方法によって互いに結合される。こうして、破壊されないかぎり互いに解離不能な、本衛生用品２の２箇所の脇継目領域６０（図６）が形成される。ただし、パンツ形に完成された本衛生用品は、組み付けられた状態から出発して本衛生用品を開くことができるようにすべく、特に上記の脇継目領域に沿って所期解離線を有するようにすることが十分に可能である。またさらに、それ自体として任意の緊結要素たとえば接着式または機械付着式のファスナが設けられて、本衛生用品を、オムツのように、開いた後に再び閉じることができるようにすることも可能である。ただし、本衛生用品は製作者側で短パン（“パンツ”）として完成されており、したがって、腹側ウェストエッジ２０ａと背側ウェストエッジ２０ｂとから形成されて全周が限界された腰部開口５０を形成する、円周方向に完全に閉じたウェストエッジ２０を有している。
【００３６】
本衛生用品２はさらに、外被２１の身体側に取付けられた吸収コア２２を含んでいる。この吸収コア２２は、図１，４，５には示されていないが、図２，３に示されているように、液体不透過性バックシート１４と液体透過性トップシート１３とを有している。
【００３７】
吸収コア２２は機能性プレハブユニットとしてその反身体側を以って、したがって、反身体側のバックシート１４を以って外被２１の身体側に結合されている。
【００３８】
オムツ本体を形成する外被２１は腹側ウェストエッジ２０ａから背側ウェストエッジ２０ｂに至るまで連続して延びており、本実施例において、少なくとも一定区間が結合された、それぞれ単位面積重量２２ｇ／ｍ2を有する身体側非伸縮性フリース層３６と反身体側非伸縮性フリース層３５とからなる２層の積層フリースを含んでいる。非伸縮性材料たとえばフリースまたはシートとは、本発明の範囲において、幅２５ｍｍのストリップ材料を５００ｍｍ／ｍｉｎの延伸速度にて当初長さの３０％までに及ぶ１回的延伸に付する際に引裂するかまたは続いての即時除荷時に少なくとも７．５％の永久伸びを呈する材料として理解される。これはたとえば長さ１００ｍｍのストリップ材料が１３０ｍｍの長さに延伸されて除荷された後少なくとも１０７．５ｃｍの長さを有することを意味している。
【００３９】
それぞれのウェストエッジ２０ａ，２０ｂから股領域１０の内部に至るまで弾性糸６が横方向３８に通されており、これらの弾性糸はプレストレスされて２つのフリース層３５，３６の間に溶融粘着剤で固定されている。
【００４０】
本衛生用品の背側部４は縦方向３９に１７ｃｍの長さを有している。腹側部６の長さも同じく１７ｃｍである。これら腹側部と背側部との間にある股領域１０は横中心軸Ｑによって背側の股領域１０ｂと腹側の股領域１０ａとに区分される。横中心軸Ｑは本体形成外被２１の股領域１０の幅が最も狭い位置で縦中心軸Ｌに対して垂直をなして横方向３８に延びている。縦中心軸Ｌは、横中心軸の位置で本体形成外被２１の横方向長さを、したがって、本体形成外被の幅を２等分する、縦方向３９と平行に想定された線である。腹側の股領域１０ａは縦方向３９に１７．５ｃｍの長さを有し、背側の股領域１０ｂは縦方向３９に２９ｃｍの長さを有している。
【００４１】
各々の大腿用開口８ａ，８ｂは第１の区域３０に沿って第１の糸状伸縮手段１を有しており、これらの糸状伸縮手段は本体形成外被２１を形成するフリース層３５，３６の間にプレストレスされた状態で取り付けられている。これらの第１の伸縮手段１はもっぱら腹側の股領域１０ａ内に配置されている。それぞれの大腿用開口８ａ，ｂの背側の股領域１０ｂは外側領域１０ｂ２内に、第２の区域３２に沿って、第１のそれとは異なる第２の糸状伸縮手段２を有しており、これらの糸状伸縮手段も同じくプレストレスされた状態で本体形成外被に取り付けられている。これらの第２の伸縮手段２は大腿用開口近接領域から出発して斜め後方に向かってｖ字形を描いて延びており、したがって、外側領域１０ｂ２内において吸収コアの縦方向端縁５と大腿用開口との間に伸縮要素Ｅを形成している。この伸縮要素の延びは大腿用開口近接領域から出発して横方向成分ＱＱしたがって横方向３８の成分、つまり、縦中心軸Ｌの方向に向かう成分ならびに縦方向成分ＬＬしたがって縦方向３９の成分、つまり、背側部４に向かう成分の双方を有している（図４）。横方向成分ＱＱの長さは６．７ｃｍであり、縦方向成分ＬＬの長さは９．０ｃｍである。したがって、伸縮要素Ｅは第２の伸縮手段２の延長によって形成されている。伸縮手段のこうした配向の効果は図６に力Ｐ１およびＰ２の示唆によって概略的に示されている。これらの力は、吸収コアの外側領域の、しわ形成傾向のある問題領域において、オムツ本体をしわがよらないように引っ張って伸ばし、使用者の身体に密着させる。しわ形成傾向のある問題領域はパンツ形の衛生用品の場合、背側の股領域１０ｂとくに背側の股領域１０ｂの外側領域１０ｂ２内における吸収コア２２と大腿用開口８ａ，ｂとの間の横方向３８の間隔７０（図４）が５ｃｍ以上、特に７ｃｍ以上、なかんずく９ｃｍ以上であって、本体形成外被２１の比較的広い面積区域がしわ形成の危険に曝されている場合に、問題を生ずる。
【００４２】
吸収コアの幅、したがって、横中心軸Ｑの位置における吸収コアの横方向長さは１４ｃｍでしかない。ただし、本体形成外被２１の同所の幅は２２ｃｍである。
【００４３】
本衛生用品２は背側の股領域１０ｂに、それぞれの大腿用開口８ａ，８ｂの第３の区域３１に沿って延びる、第１および第２のそれとは異なるさらに第３の糸状伸縮手段３を有している。これらの第３の伸縮手段３は背側の股領域１０ｂのもっぱら内側領域１０ｂ１内に配置されており、他方、第２の伸縮手段２は背側の股領域１０ｂのもっぱら外側領域１０ｂ２内に配置されている。
【００４４】
横軸ＱＬは背側の股領域１０ｂの内側領域１０ｂ１と外側領域１０ｂ２との間の境界を形成していることが看取される。この横軸ＱＬは縦方向３９において互いに間隔８０（図４）だけ離間した第２の伸縮手段と第３の伸縮手段との間の真ん中を貫いて走り、第３の伸縮手段３の延びと伸縮要素Ｅの延びとに関する鏡軸を形成している。この場合、間隔８０は１．５ｃｍである。
【００４５】
背側の股領域１０ｂの内側領域１０ｂ１は縦方向３９に１４．３ｃｍの長さを有している。他方、背側の股領域１０ｂの外側領域１０ｂ２は縦方向３９に１４．７ｃｍの長さを有している。
【００４６】
第１、第２および第３の糸状または帯状伸縮手段１，２，３は第１の大腿用開口８ａから出発して吸収コア２２の下を通って股領域１０を横断し、反対側において縦中心軸Ｌを中心とした鏡像をなして第２の大腿用開口８ｂに沿って延びている。吸収コア２２の下側では、特に熱および／または圧力および／またはレーザ作用および／または超音波の使用によりかつ／または切断により少なくとも一定区間にわたって伸縮手段１，２，３からそれらの伸縮作用が奪われている。伸縮手段１，２，３が同所を応力除去されて延びているようにすることも思料可能であろう。
【００４７】
第１の伸縮手段１は第３の伸縮手段３から縦方向３９に６．０ｃｍの間隔９０をおいて離間している（図４）。
【００４８】
第１、第２および第３の伸縮手段の縦方向３９における最大長さは図４に表されており、同図において１−Ｌ，２−Ｌおよび３−Ｌの符号が付されている。この場合、大腿用開口８ａ，８ｂのかなりの部分は縦方向３９の成分を有する伸縮手段を備えていない。これにより、大腿用開口になお十分な伸縮性が確保されていても、使用中に過度のしわ形成とそれに伴う皮膚の刺激が生ずることは確実に防止される。長さの和（１−Ｌ＋２−Ｌ＋３−Ｌ）は３１．５ｃｍでしかないが、それぞれの大腿用開口の周長は６８．９ｃｍである。したがって、それぞれの大腿用開口の周長は股領域１０の縦方向３９の長さ４６．５ｃｍよりも４８．２％だけ大である。したがって、長さの和１−Ｌ＋２−Ｌ＋３−Ｌとそれぞれの大腿用開口の周長との比は０．４６でしかない。
【００４９】
図５が具体的に示しているように、それぞれの大腿用開口８ａ，ｂは腹側の股領域１０ａに３つの異なった伸縮領域すなわち腰部開口近接領域４０、股中心近接領域４２および両者の間に配置された中間領域４１を有しており、しかも、腰部開口近接領域４０、股中心近接領域４２および中間領域４１はそれぞれ糸状伸縮手段４４を有している。これらの伸縮手段４４の、番手、プレストレス、配向および配置密度は、伸縮手段４４に生ずる力がそれぞれ横方向３８の成分を有し、しかも、腰部開口近接領域４０における横方向成分は中間領域４１における横方向成分よりも大きく、また、中間領域４１における横方向成分は股中心近接領域４２における横方向成分よりも大きくなるように選択されている。これにより、大腿周りの本衛生用品のフィット性は特に有利な方法で保証されている。図示実施例において、大腿用開口８ａ，ｂの腰部開口近接領域４０における伸縮手段４４はもっぱら、基本的に横方向に配向された糸状または帯状伸縮手段６によって形成されている。中間領域４１における伸縮手段４４は第１の糸状または帯状伸縮手段１の腰部開口近接区域部分１ａによると共に基本的に横方向に配向された糸状または帯状伸縮手段６によって形成されている。
【００５０】
最後に、股中心近接領域４２における伸縮手段４４はもっぱら第１の糸状または帯状伸縮手段１の股中心近接区域部分１ｂによって形成されている。股中心近接領域４２には横中心軸Ｑに達するまでの間にもう１つの領域４３が連続しているが、この領域において大腿用開口は伸縮手段をまったく有していない。
【００５１】
股中心とは、股領域１０のうち、横中心軸Ｑを含む区域として理解される。
【００５２】
最後に図２，３に言及すれば、これらの図は、吸収コア２２は下側が液体不透過性バックシート１４によって下支えされ、上側が液体透過性トップシート１３によって覆われている旨詳細な形で示している。シート要素７は疎水性フリース材料から形成されており、それらの基部端縁７２により吸収コア２２の両側で縦中心軸と平行にトップシート１３に固定されている。シート要素７のそれぞれの末端端縁７１は少なくとも股中心を含む区域すなわち伸縮シート区域９に伸縮手段つまりプレストレスされた弾性糸７３を備えている。この伸縮シート区域９は、図３が示しているように、糸の復元力によって使用者の皮膚に向かって上方に起立することができる。それぞれのシート要素は腹側および背側のウェストエッジ２０ａ，２０ｂの方向に伸縮性を持たず、したがって、同所において非伸縮区域を形成している。末端端縁７１はシート要素７の背側および腹側の端部区域７４で内側に向かって折り曲げられて、不図示の超音波溶接点によってトップシート１３に固定されている。この集成ユニットはさらに、図３が示しているように、トップシートとバックシートとの間に固定された弾性糸８４の形の、縦中心軸Ｌと平行に配向された伸縮手段を含んでいる。好ましくは、この伸縮手段８４は、横方向３８で見て、シート要素7の基部端縁７２の外側に配置されており、すなわち、これらの伸縮手段８４はシート要素７の基部端縁７２よりももっと大腿用開口８ａ，ｂの近くに配置されている。
【図１】
2010515555.tif 000003
【図２】
2010515555.tif 000004
【図３】
2010515555.tif 000005
【図４】
2010515555.tif 000006
【図５】
2010515555.tif 000007
【図６】
2010515555.tif 000008
【国際調査報告】
2010515555.tif 000009
2010515555.tif 000010
2010515555.tif 000011
2010515555.tif 000012
2010515555.tif 000013
2010515555.tif 000014
2010515555.tif 000015
2010515555.tif 000016
2010515555.tif 000017
2010515555.tif 000018
2010515555.tif 000019